(57)【要約】  本発明は広告提供システムおよびその方法に関する。本発明の広告提供システムは、広告提供者から広告を提供するための第１コンテンツ登録情報−前記第１コンテンツ登録情報は基本広告コンテンツを含む−および第２コンテンツ登録情報−前記第２コンテンツ登録情報は前記基本広告コンテンツに対応する付加広告コンテンツを含む−を受信して格納し、ユーザ端末にすでに格納されたウェブページと前記基本広告コンテンツを提供する。そして、ユーザ端末から前記付加広告コンテンツを活性化するための基本広告コンテンツに対するユーザアクションを受信する場合に、付加広告コンテンツを前記ユーザ端末に提供する。このような本発明によれば、広告を行うにおいて掲載する位置に対する広告ではなく、保有している基本広告コンテンツの再販売を通じて広告主に最小の費用で広告の最大化を実現できるという効果が期待できる。
2010538387.tif 000002
【特許請求の範囲】
【請求項１】
ユーザ端末に広告を提供するシステムにおいて、
前記ユーザ端末にウェブページおよび基本広告コンテンツを提供し、前記ユーザ端末により付加広告コンテンツを活性化するための前記基本広告コンテンツに対するユーザアクションに反応して前記付加広告コンテンツを前記ユーザ端末に提供し、前記ユーザアクションに関するアクション情報−前記アクション情報は前記基本広告コンテンツの露出／クリック回数および前記付加広告コンテンツの露出／クリック回数を含む−を収集するコンテンツ提供装置と、
前記基本広告コンテンツと前記基本広告コンテンツを前記コンテンツ提供装置に提供し、前記アクション情報に基づいて前記基本広告コンテンツおよび前記付加広告コンテンツの広告提供者に対するそれぞれの課金を行う広告提供装置と
を含む広告提供システム。
【請求項２】
前記広告提供装置は、
前記アクション情報に含まれた基本広告コンテンツの露出／クリック回数とすでに格納された基本広告コンテンツのコンテンツ提供期間および基本広告コンテンツの形式に基づいて前記基本広告コンテンツ別にコンテンツの広告提供者に対する差等課金を行い、
前記付加広告コンテンツの露出／クリック回数とすでに格納された付加広告コンテンツの提供期間、付加広告コンテンツの形式に基づいて前記付加広告コンテンツの広告提供者に対する差等課金を行うことを特徴とする請求項１記載の広告提供システム。
【請求項３】
前記コンテンツ提供装置は、
ユーザ端末から前記付加広告コンテンツのウェブページに接続したことを知らせるメッセージを受信する場合に、前記収集されたアクション情報を前記広告提供装置に伝送することを特徴とする請求項２記載の広告提供システム。
【請求項４】
前記広告提供装置は、
広告提供者から前記基本広告コンテンツまたは前記付加広告コンテンツに対する登録要請を受信し、すでに格納された検証情報に基づいて前記登録要請された基本広告コンテンツまたは前記付加広告コンテンツに対するフィルタリングを行った後、前記基本広告コンテンツまたは前記付加広告コンテンツを格納することを特徴とする請求項１〜３のいずれか１項記載の広告提供システム。
【請求項５】
前記コンテンツ提供装置は、
前記基本広告コンテンツに対するユーザアクションに反応して前記付加広告コンテンツが前記ウェブページ内に表示されるように前記ユーザ端末に提供することを特徴とする請求項１〜３のいずれか１項記載の広告提供システム。
【請求項６】
前記コンテンツ提供装置は、
前記基本広告コンテンツに対するユーザアクションに反応して前記付加広告コンテンツがポップアップの形態で表示されるように前記ユーザ端末に提供することを特徴とする請求項１〜３のいずれか１項記載の広告提供システム。
【請求項７】
ユーザ端末に広告を提供するシステムの広告提供方法において、
広告提供者から広告を提供するための第１コンテンツ登録情報−前記第１コンテンツ登録情報は基本広告コンテンツを含む−および第２コンテンツ登録情報−前記第２コンテンツ登録情報は前記基本広告コンテンツに対応する付加広告コンテンツを含む−を受信して格納する段階と、
前記ユーザ端末にすでに格納されたウェブページと前記基本広告コンテンツを提供する段階と、
前記ユーザ端末から前記付加広告コンテンツを活性化するための前記基本広告コンテンツに対するユーザアクションを受信する場合に、前記付加広告コンテンツを前記ユーザ端末に提供する段階と
を含む広告提供方法。
【請求項８】
前記ユーザアクションを収集する段階の後に、
前記収集されたユーザアクションに関するアクション情報−前記ユーザアクション情報は前記基本広告コンテンツの露出／クリック回数および前記付加広告コンテンツの露出／クリック回数を含む−を生成する段階と、
前記ユーザアクション情報に基づいて前記基本広告コンテンツおよび前記付加広告コンテンツの広告提供者のそれぞれに対する課金を行う段階と
を含むことを特徴とする請求項７記載の広告提供方法。
【請求項９】
前記第１コンテンツ登録情報は基本広告コンテンツの提供期間をさらに含み、前記第２コンテンツ登録情報は付加広告コンテンツの提供期間をさらに含み、
前記課金を行う段階は、
前記基本広告コンテンツの提供期間および前記基本広告コンテンツの露出／クリック回数に基づいて前記基本広告コンテンツの広告提供者に対する課金を行う段階と、
前記付加広告コンテンツの提供期間および前記付加広告コンテンツの露出／クリック回数に基づいて前記付加広告コンテンツの広告提供者に対する課金を行う段階と
を含むことを特徴とする請求項８記載の広告提供方法。
【請求項１０】
前記付加広告コンテンツをユーザ端末に提供する段階は、
前記基本広告コンテンツに対するユーザアクションを受信する場合、前記付加広告コンテンツをポップアップの形態で表示されるように前記ユーザ端末に提供する段階を含むことを特徴とする請求項７〜９のいずれか１項記載の広告提供方法。
【請求項１１】
ユーザ端末に広告を提供するシステムにおいて、
第１基本広告コンテンツおよび第２基本広告コンテンツを含む複数の基本広告コンテンツと前記第１基本広告コンテンツに対応する複数の第１付加広告コンテンツ−前記複数の第１付加広告コンテンツのうち少なくとも１つのコンテンツは第１付加広告コンテンツの連続提供のためのエターナル（Ｅｔｅｒｎａｌ）が適用されたコンテンツであり、残りのコンテンツはエターナルが適用されていないコンテンツである−を格納する広告提供装置と、
前記広告提供装置から前記複数の基本広告コンテンツおよび前記複数の第１付加広告コンテンツを受信し、すでに格納された第１ウェブページと前記第１基本広告コンテンツを前記ユーザ端末に提供し、前記ユーザ端末から提供される第１基本広告コンテンツに対するユーザアクションに反応して前記複数の第１付加広告コンテンツを前記ユーザ端末に提供する第１コンテンツ提供装置と、
前記広告提供装置から前記複数の基本広告コンテンツおよび前記複数の第１付加広告コンテンツを受信し、前記第１コンテンツ提供装置から前記ユーザ端末が接続されれば、すでに格納された第２ウェブページと前記第２基本広告コンテンツを前記ユーザ端末に提供し、前記ユーザ端末から提供される前記第２基本広告コンテンツに対するユーザアクションに反応してエターナルが適用された前記第１付加広告コンテンツをユーザ端末に提供する第２コンテンツ提供装置と
を含む広告提供システム。
【請求項１２】
前記第１コンテンツ提供装置は前記ユーザ端末から受信されるユーザアクションに関する第１アクション情報−前記第１アクション情報は前記第１基本広告コンテンツの露出／クリック回数と前記第１付加広告コンテンツの露出／クリック回数を含む−を収集して前記広告提供装置に提供し、
前記第２コンテンツ提供装置は前記ユーザ端末から受信されるユーザアクションに関する第２アクション情報−前記第２アクション情報は前記第２基本広告コンテンツの露出／クリック回数と前記第１付加広告コンテンツの露出／クリック回数を含む−を収集して前記広告提供装置に提供することを特徴とする請求項１１記載の広告提供システム。
【請求項１３】
前記広告提供装置は前記第１コンテンツ提供装置および前記第２コンテンツ提供装置から受信されたそれぞれのアクション情報に含まれた第１基本広告コンテンツの露出／クリック回数、前記第２基本広告コンテンツの露出／クリック回数および前記第１付加広告コンテンツの露出／クリック回数に基づいて前記第１基本広告コンテンツ、前記第２基本広告コンテンツ、前記第１付加広告コンテンツの広告提供者に対するそれぞれの課金を行い、
前記広告提供装置は前記エターナル適用であるかどうかに基づいて前記第１付加広告コンテンツの広告提供者に対する差等課金を行うことを特徴とする請求項１２記載の広告提供システム。
【請求項１４】
ユーザ端末に広告を提供するシステムの広告提供方法において、
コンテンツを提供する第１コンテンツ提供装置が前記ユーザ端末に提供した複数の第１付加広告コンテンツ−前記複数の第１付加広告コンテンツのうち少なくとも１つのコンテンツは第１付加広告コンテンツの連続提供のためのエターナル（Ｅｔｅｒｎａｌ）が適用されたコンテンツであり、残りのコンテンツはエターナルが適用されていないコンテンツである−に関する情報を第１コンテンツ提供装置から受信する段階と、
すでに格納された複数の第１コンテンツ登録情報−前記第１コンテンツ登録情報は基本広告コンテンツを含む−に基づいて前記基本広告コンテンツを前記ユーザ端末に提供する段階と、
前記ユーザ端末から提供される前記基本広告コンテンツに対するユーザアクションを受信する場合に、前記第１付加広告コンテンツのうちエターナルが適用されたコンテンツをユーザ端末に提供する段階と
を含む広告提供方法。
【請求項１５】
前記ユーザ端末に基本広告コンテンツを提供する段階の後に、
前記ユーザアクションに関するアクション情報−前記ユーザアクション情報は前記基本広告コンテンツの露出／クリック回数および前記第１付加広告コンテンツの露出／クリック回数を含む−を収集する段階と、
前記ユーザ端末が接続を解除する場合に、前記基本広告コンテンツおよび前記第１付加広告コンテンツの広告提供者に対する課金を行うために課金を行う装置に、収集したアクション情報を伝送する段階と
をさらに含むことを特徴とする請求項１４記載の広告提供方法。
【請求項１６】
前記第１付加広告コンテンツのうちエターナルが適用されたコンテンツをユーザ端末に提供する段階は、
前記基本広告コンテンツに対する前記ユーザアクションに反応して前記第１付加広告コンテンツのうちエターナルが適用されたコンテンツをポップアップの形態で表示されるように前記ユーザ端末に提供する段階
を含むことを特徴とする請求項１４または１５記載の広告提供方法。
【請求項１７】
前記第１付加広告コンテンツのうちエターナルが適用されたコンテンツをユーザ端末に提供する段階は、
前記基本広告コンテンツに対するユーザアクションに反応して前記第１付加広告コンテンツのうちエターナルが適用されたコンテンツを前記基本広告コンテンツと共に表示されるように前記ユーザ端末に提供することを特徴とする請求項１４または１５記載の広告提供方法。
【請求項１８】
ユーザ端末に広告を提供するシステムの広告提供方法において、
コンテンツを提供する第１コンテンツ提供装置が前記ユーザ端末に提供した複数の第１広告コンテンツ−前記複数の第１広告コンテンツのうち少なくとも１つのコンテンツは第１広告コンテンツの連続提供のためのエターナル（Ｅｔｅｒｎａｌ）が適用されたコンテンツであり、残りのコンテンツはエターナルが適用されていないコンテンツである−に関する情報を前記第１コンテンツ提供装置から受信する段階と、
すでに格納された複数の第１コンテンツ登録情報−前記第１コンテンツ登録情報はウェブページ上に提供される文字、イメージ、動画のうち少なくとも１つを含む第１コンテンツを含む−に基づいて前記第１コンテンツが含まれたウェブページを前記ユーザ端末に提供する段階と、
前記ユーザ端末から提供される前記第１コンテンツに対するユーザアクションを受信する場合に、前記第１広告コンテンツのうちエターナルが適用されたコンテンツをユーザ端末に提供する段階と、
前記ユーザアクションに関するアクション情報−前記ユーザアクション情報は前記第１広告コンテンツの露出／クリック回数を含む−を収集する段階と、
前記ユーザ端末が接続を解除する場合に、前記第１広告コンテンツの広告提供者に対する課金を行うために課金を行う装置に、収集したアクション情報を伝送する段階と
を含む広告提供方法。
【請求項１９】
前記第１広告コンテンツのうちエターナルが適用されたコンテンツをユーザ端末に提供する段階は、
前記第１コンテンツに対する前記ユーザアクションに反応して前記第１広告コンテンツのうちエターナルが適用されたコンテンツをポップアップの形態で表示されるように前記ユーザ端末に提供する段階
を含むことを特徴とする請求項１８記載の広告提供方法。
【請求項２０】
前記第１広告コンテンツのうちエターナルが適用されたコンテンツをユーザ端末に提供する段階は、
前記第１コンテンツに対するユーザアクションに反応して前記第１広告コンテンツのうちエターナルが適用されたコンテンツを前記第１コンテンツと共に表示されるように前記ユーザ端末に提供する段階
を含むことを特徴とする請求項１８記載の広告提供方法。
【発明の詳細な説明】
【技術分野】
【０００１】
本発明は広告提供システムおよびその方法に関する。特に、本発明はウェブページ上の基本広告コンテンツを用いてユーザにセカンド（Ｓｅｃｏｎｄ）広告コンテンツを提供する広告提供システムおよびその方法に関する。
【背景技術】
【０００２】
一般に、オンラインを介して提供される広告方法は広告を掲載するウェブページ（以下、「ウェブサイト」ともいう）の一定の位置を広告主（以下、「広告提供者」ともいう）に販売することで、広告主の広告を一定位置に開示する方法が主流をなす。
【０００３】
このようなオンライン広告方法としては、バナー広告、ポップアップおよびポップダウン広告、ＵＣＣ（Ｕｓｅｒ  Ｃｒｅａｔｅｄ  Ｃｏｎｔｅｎｔｓ）広告、キーワード検索広告、キーワードを用いたカテゴリー検索広告、ブランド検索広告およびクロスメディア（Ｃｒｏｓｓ  ｍｅｄｉａ）広告などがあげられる。
【０００４】
バナー／ポップアップ、ポップダウン／フラッシュ／ＵＣＣなどを通じた広告方法は、ウェブサイトの特定位置に広告画面を付けて広告主のウェブサイトにリンクさせる広告技法であって、特定位置に入るコンテンツの範囲は一般のテキストから動画に至るまで多様であるため、広告をしようとするコンテンツの形態に拘ることなく、位置基盤の広告コンテンツをユーザに提供できるという長所がある。
【０００５】
キーワード検索広告は、ユーザが入力するキーワードの検索結果に基づいて広告コンテンツを露出させる広告技法であって、検索結果にマッチする広告をユーザの性向に基づいてウェブページ内の特定位置に露出させることで、ユーザがより多く広告主のサイトに接続するように誘導する広告技法である。
【０００６】
カテゴリー検索広告はキーワード検索広告の一種であって、製品のカテゴリーに属する場合、該当広告をウェブページ内の特定位置に露出させる広告技法である。
【０００７】
ブランド検索広告はキーワード検索広告の一種であって、入力するキーワードが特定ブランドである場合、該当ブランドの広告をウェブページ内の特定位置に露出させる広告技法である。
【０００８】
クロスメディア広告は、オフライン（テレビなど）の媒体を通じた広告をオンラインと連係してオンラインでもオフラインと同一の広告をウェブページ内の特定位置に露出させることで、ブランドのパワーを同時に上昇させようとする広告技法である。
【０００９】
このような従来のオンライン広告方法は位置基盤の広告を行うため、ユーザに広告コンテンツを提供できるウェブページ内のリソース（例えば、ウェブページ内の左右サイド（Ｓｉｄｅ）位置など）が非常に不足していた。特に、リソースが限定されているため、多くの広告を効率的に提供できなかった。
【００１０】
また、限定されたリソースに広告を載せるための広告主同士の競争により、広告を載せるために多くのコストを負担しなければならないという問題があった。
【００１１】
本背景技術部分に叙述された情報は、本発明の背景に対する理解を促進させる目的でのみ叙述されたので、本国における当業者にすでに知られている従来技術を構成しない情報を含むことができる。
【発明の概要】
【発明が解決しようとする課題】
【００１２】
そこで、本発明は上記事情に鑑みてなされたものであって、その目的は、ウェブページ上の基本広告コンテンツを用いてユーザにセカンド広告コンテンツを提供する広告提供システムおよびその方法を提供することにある。
【００１３】
また、本発明の他の目的は、ウェブページ上の基本広告コンテンツを用いてユーザに連続的な同一のセカンド広告コンテンツを提供する広告提供システムおよびその方法を提供することにある。
【課題を解決するための手段】
【００１４】
前述した課題を解決するための本発明の特徴によって、ユーザ端末に広告を提供するシステムは、前記ユーザ端末にウェブページおよび基本広告コンテンツを提供し、前記ユーザ端末により付加広告コンテンツを活性化するための前記基本広告コンテンツに対するユーザアクションに反応して前記付加広告コンテンツを前記ユーザ端末に提供し、前記ユーザアクションに関するアクション情報−前記アクション情報は前記基本広告コンテンツの露出／クリック回数および前記付加広告コンテンツの露出／クリック回数を含む−を収集するコンテンツ提供装置と、前記基本広告コンテンツと前記基本広告コンテンツを前記コンテンツ提供装置に提供し、前記アクション情報に基づいて前記基本広告コンテンツおよび前記付加広告コンテンツの広告提供者に対するそれぞれの課金を行う広告提供装置とを含む。
【００１５】
ここで、前記広告提供装置は、前記アクション情報に含まれた基本広告コンテンツの露出／クリック回数とすでに格納された基本広告コンテンツのコンテンツ提供期間および基本広告コンテンツの形式に基づいて前記基本広告コンテンツ別にコンテンツの広告提供者に対する差等課金を行い、前記付加広告コンテンツの露出／クリック回数とすでに格納された付加広告コンテンツの提供期間、付加広告コンテンツの形式に基づいて前記付加広告コンテンツの広告提供者に対する差等課金を行う。
【００１６】
本発明の特徴によって、ユーザ端末に広告を提供するシステムの広告提供方法は、広告提供者から広告を提供するための第１コンテンツ登録情報−前記第１コンテンツ登録情報は基本広告コンテンツを含む−および第２コンテンツ登録情報−前記第２コンテンツ登録情報は前記基本広告コンテンツに対応する付加広告コンテンツを含む−を受信して格納する段階と、前記ユーザ端末にすでに格納されたウェブページと前記基本広告コンテンツを提供する段階と、前記ユーザ端末から前記付加広告コンテンツを活性化するための前記基本広告コンテンツに対するユーザアクションを受信する場合に、前記付加広告コンテンツを前記ユーザ端末に提供する段階とを含む。
【００１７】
ここで、前記ユーザアクションを収集する段階の後に、前記収集されたユーザアクションに関するアクション情報−前記ユーザアクション情報は前記基本広告コンテンツの露出／クリック回数および前記付加広告コンテンツの露出／クリック回数を含む−を生成する段階と、前記ユーザアクション情報に基づいて前記基本広告コンテンツおよび前記付加広告コンテンツの広告提供者のそれぞれに対する課金を行う段階とを含む。
【００１８】
本発明の特徴によって、ユーザ端末に広告を提供するシステムは、第１基本広告コンテンツおよび第２基本広告コンテンツを含む複数の基本広告コンテンツと前記第１基本広告コンテンツに対応する複数の第１付加広告コンテンツ−前記複数の第１付加広告コンテンツのうち少なくとも１つのコンテンツは第１付加広告コンテンツの連続提供のためのエターナル（Ｅｔｅｒｎａｌ）が適用されたコンテンツであり、残りのコンテンツはエターナルが適用されていないコンテンツである−を格納する広告提供装置と、前記広告提供装置から前記複数の基本広告コンテンツおよび前記複数の第１付加広告コンテンツを受信し、すでに格納された第１ウェブページと前記第１基本広告コンテンツを前記ユーザ端末に提供し、前記ユーザ端末から提供される第１基本広告コンテンツに対するユーザアクションに反応して前記複数の第１付加広告コンテンツを前記ユーザ端末に提供する第１コンテンツ提供装置と、前記広告提供装置から前記複数の基本広告コンテンツおよび前記複数の第１付加広告コンテンツを受信し、前記第１コンテンツ提供装置から前記ユーザ端末が接続されれば、すでに格納された第２ウェブページと前記第２基本広告コンテンツを前記ユーザ端末に提供し、前記ユーザ端末から提供される前記第２基本広告コンテンツに対するユーザアクションに反応してエターナルが適用された前記第１付加広告コンテンツをユーザ端末に提供する第２コンテンツ提供装置とを含む。
【００１９】
ここで、前記第１コンテンツ提供装置は前記ユーザ端末から受信されるユーザアクションに関する第１アクション情報−前記第１アクション情報は前記第１基本広告コンテンツの露出／クリック回数と前記第１付加広告コンテンツの露出／クリック回数を含む−を収集して前記広告提供装置に提供し、前記第２コンテンツ提供装置は前記ユーザ端末から受信されるユーザアクションに関する第２アクション情報−前記第２アクション情報は前記第２基本広告コンテンツの露出／クリック回数と前記第１付加広告コンテンツの露出／クリック回数を含む−を収集して前記広告提供装置に提供する。
【００２０】
本発明の特徴によって、ユーザ端末に広告を提供するシステムの広告提供方法は、コンテンツを提供する第１コンテンツ提供装置が前記ユーザ端末に提供した複数の第１付加広告コンテンツ−前記複数の第１付加広告コンテンツのうち少なくとも１つのコンテンツは第１付加広告コンテンツの連続提供のためのエターナル（Ｅｔｅｒｎａｌ）が適用されたコンテンツであり、残りのコンテンツはエターナルが適用されていないコンテンツである−に関する情報を第１コンテンツ提供装置から受信する段階と、すでに格納された複数の第１コンテンツ登録情報−前記第１コンテンツ登録情報は基本広告コンテンツを含む−に基づいて前記基本広告コンテンツを前記ユーザ端末に提供する段階と、前記ユーザ端末から提供される前記基本広告コンテンツに対するユーザアクションを受信する場合に、前記第１付加広告コンテンツのうちエターナルが適用されたコンテンツをユーザ端末に提供する段階とを含む。
【００２１】
ここで、前記ユーザ端末に基本広告コンテンツを提供する段階の後に、前記ユーザアクションに関するアクション情報−前記ユーザアクション情報は前記基本広告コンテンツの露出／クリック回数および前記第１付加広告コンテンツの露出／クリック回数を含む−を収集する段階と、前記ユーザ端末が接続を解除する場合に、前記基本広告コンテンツおよび前記第１付加広告コンテンツの広告提供者に対する課金を行うために課金を行う装置に、収集したアクション情報を伝送する段階とをさらに含む。
【００２２】
本発明の特徴によって、ユーザ端末に広告を提供するシステムの広告提供方法は、コンテンツを提供する第１コンテンツ提供装置が前記ユーザ端末に提供した複数の第１広告コンテンツ−前記複数の第１広告コンテンツのうち少なくとも１つのコンテンツは第１広告コンテンツの連続提供のためのエターナル（Ｅｔｅｒｎａｌ）が適用されたコンテンツであり、残りのコンテンツはエターナルが適用されていないコンテンツである−に関する情報を前記第１コンテンツ提供装置から受信する段階と、すでに格納された複数の第１コンテンツ登録情報−前記第１コンテンツ登録情報はウェブページ上に提供される文字、イメージ、動画のうち少なくとも１つを含む第１コンテンツを含む−に基づいて前記第１コンテンツが含まれたウェブページを前記ユーザ端末に提供する段階と、前記ユーザ端末から提供される前記第１コンテンツに対するユーザアクションを受信する場合に、前記第１広告コンテンツのうちエターナルが適用されたコンテンツをユーザ端末に提供する段階と、前記ユーザアクションに関するアクション情報−前記ユーザアクション情報は前記第１広告コンテンツの露出／クリック回数を含む−を収集する段階と、前記ユーザ端末が接続を解除する場合に、前記第１広告コンテンツの広告提供者に対する課金を行うために課金を行う装置に、収集したアクション情報を伝送する段階とを含む。
【発明の効果】
【００２３】
本発明によれば、広告を行うにおいて掲載する位置に対する広告ではなく、保有している基本広告コンテンツの再販売を通じて広告主に最小の費用で広告の最大化を実現できるという効果が期待できる。
【００２４】
また、ユーザが所望する情報の獲得に迅速かつ持続的に接近できるように多くの広告コンテンツを提供できるという効果が期待できる。
【００２５】
さらに、ユーザがウェブページの移動に対して、連続的に多くの広告コンテンツをユーザに提供できるという効果が期待できる。
【図面の簡単な説明】
【００２６】
【図１】本発明の実施形態に係る広告提供システムを示すブロック図である。
【図２】本発明の実施形態に係る広告提供システムのＡＯＤ装置を詳細に示すブロック図である。
【図３】本発明の実施形態に係る広告提供システムのコンテンツ提供装置を詳細に示すブロック図である。
【図４】本発明の実施形態に係る広告提供システムの第１広告提供方法を示すデータフローチャートである。
【図５】本発明の実施形態に係る広告提供システムの第１広告提供方法を示すデータフローチャートである。
【図６】本発明の実施形態に係る広告提供システムの第２広告提供方法を示すデータフローチャートである。
【図７】本発明の実施形態に係る広告提供システムの第２広告提供方法を示すデータフローチャートである。
【図８】本発明の実施形態に係る広告提供システムの第２広告提供方法を示すデータフローチャートである。
【図９】本発明の実施形態に係る広告提供システムのＡＯＤ装置における事前承認情報の登録方法を示すフローチャートである。
【図１０】本発明の実施形態に係る広告提供システムのＡＯＤ装置における広告のためのコンテンツ登録方法を詳細に示すフローチャートである。
【図１１】本発明の実施形態に係る第１コンテンツ提供装置における事前承認段階を示すフローチャートである。
【図１２】本発明の実施形態に係る広告提供システムのＡＯＤ装置における課金方法を示すフローチャートである。
【図１３】本発明の実施形態に係る広告提供システムがＡＯＤ装置に格納されたＡＯＤコンテンツ登録情報を示すテーブルである。
【図１４】本発明の実施形態に係るＡＯＤコンテンツ登録情報のうち適用位置イメージ確認を示す図である。
【発明を実施するための形態】
【００２７】
以下では添付する図面を参照して本発明の実施形態について本発明の属する技術分野における通常の知識を有する者が容易に実施できるように詳細に説明する。しかし、本発明は多様な形態で実現されることができ、ここで説明する実施形態に限定されない。そして、図面において本発明を明確に説明するために説明と関係ない部分は省略し、明細書全体を通じて類似する部分に対しては類似する図面符号を付した。
【００２８】
明細書全体において、ある部分がある構成要素を「含む」というとき、これは特に反対となる記載がない限り、他の構成要素を除外するのではなく、他の構成要素をさらに含むことができることを意味する。また、明細書に記載された「〜部」、「〜器」、「モジュール」などの用語は少なくとも１つの機能や動作を処理する単位を意味し、これはハードウェアやソフトウェアまたはハードウェアおよびソフトウェアの結合により実現し得る。
【００２９】
明細書全体において使われた用語の定義は、以下の通りである。
【００３０】
基本広告コンテンツは、ウェブページ内に存在する位置基盤の広告コンテンツを意味し、広告主（以下、「広告提供者」ともいう）により格納された基本広告コンテンツ登録情報に基づいてコンテンツ提供装置のウェブページを通じてユーザに提供される。ここで、基本広告コンテンツは、イメージ（Ｉｍａｇｅ）、リンク文字（Ｌｉｎｋｅｄ  Ｗｏｒｄ）、映像情報（Ｍｅｄｉａ）などの広告コンテンツを含む。
【００３１】
基本広告コンテンツ登録情報は、ウェブページ内の基本広告コンテンツを提供するために広告主から受信して格納される情報であって、基本広告コンテンツ、広告製品の種類、広告の類型、広告提供位置情報、広告提供サイト名、掲載期間、広告主の情報を含む。
【００３２】
ＡＯＤ（Ａｄｖｅｒｔｉｓｅｍｅｎｔ  Ｏｎ  Ｄｉｇｉｔａｌ  ｃｏｎｔｅｎｔｓ；以下、「ＡＯＤ」という）コンテンツ（以下、「付加広告コンテンツ」ともいう）は、ウェブページ内の基本広告コンテンツまたはデジタルコンテンツにマッチングされてポップアップ（Ｐｏｐ-ｕｐ）の形式で提供されるセカンド広告コンテンツであって、イメージ、文字または映像を含む。
【００３３】
ＡＯＤコンテンツ登録情報は、ＡＯＤコンテンツを提供するために広告主から受信して格納される情報であって、ＡＯＤコンテンツ、広告の類型、ＡＯＤコンテンツが提供される基本広告コンテンツまたはデジタルコンテンツ情報（広告適用情報）、ＡＯＤコンテンツ掲載期間情報、広告主の情報、製品のカテゴリー、製品名を含む。このとき、ＡＯＤコンテンツ登録情報は、同一のＡＯＤコンテンツを継続的に提供するか否かに関するエターナルにかかわる情報をさらに含むこともできる。
【００３４】
アクション情報（以下、「ユーザアクション情報」ともいう）は、接続したウェブページ名、広告番号、基本広告コンテンツの露出／クリック情報、ＡＯＤコンテンツの露出／クリック情報、接続ＵＲＬ（Ｕｎｉｆｏｒｍ  Ｒｅｓｏｕｒｃｅ  Ｌｏｃａｔｏｒ；以下、「ＵＲＬ」という）アドレス、接続時間、移動ＵＲＬアドレス、アクション発生時間、および終了時間を含む。
【００３５】
以下、本発明の実施形態に係る広告提供システムとその方法について図面を参照して詳細に説明する。
【００３６】
図１は、本発明の実施形態に係る広告提供システムを示すブロック図である。
【００３７】
図１に示すように、本発明の実施形態に係る広告提供システムは、コンテンツ提供装置２００およびＡＯＤ装置（以下、「広告提供装置」ともいう）３００を含み、ネットワークを介してユーザ端末１００と無／有線で連結されてデータの送受信を行う。
【００３８】
コンテンツ提供装置２００は、第１コンテンツ提供装置２１０および第２コンテンツ提供装置２２０を含み、それぞれのコンテンツ提供装置２１０、２２０は、ネットワークを介してＡＯＤ装置３００およびユーザ端末１００と連結されてデータの送受信を行う。
【００３９】
コンテンツ提供装置２００は、ＡＯＤ装置３００から異なる広告主により受信された基本広告コンテンツ登録情報およびＡＯＤコンテンツ登録情報を受信して格納し、ユーザ端末１００が接続すれば、すでに格納された登録情報（基本広告コンテンツ登録情報およびＡＯＤコンテンツ登録情報）に基づいて広告を提供する。
【００４０】
また、コンテンツ提供装置２００は、ユーザ端末１００を介して受信されるユーザのアクションに関するユーザアクション情報を収集してＡＯＤ装置３００に提供する。
【００４１】
ＡＯＤ装置３００は、コンテンツ提供装置２００のウェブページ上に提供する基本広告コンテンツに関する基本広告コンテンツ登録情報を広告主から受信して格納し、基本広告コンテンツにマッチングされてユーザ端末１００に提供するためのＡＯＤコンテンツに関するＡＯＤコンテンツ登録情報を広告主から受信して格納する。そして、ＡＯＤ装置３００は、格納された基本広告コンテンツ登録情報およびＡＯＤコンテンツ登録情報をコンテンツ提供装置２００に提供する。
【００４２】
また、ＡＯＤ装置３００は、コンテンツ提供装置２００からユーザアクションに関するユーザアクション情報を受信し、受信されたユーザアクション情報に基づいて統計情報および課金情報を生成する。そして、生成された課金情報に基づいて広告主別課金を行う。
【００４３】
ユーザ端末１００は、ＰＣ（Ｐｅｒｓｏｎａｌ  Ｃｏｍｐｕｔｅｒ）、無線接続端末などネットワークを介してデータの送受信が可能な端末を含み、コンテンツ提供装置２００への接続を通じてウェブページ、基本広告コンテンツおよびＡＯＤコンテンツを受信してユーザに提供し、ユーザのアクションをコンテンツ提供装置２００に伝送する。
【００４４】
一方、本発明の実施形態ではコンテンツ提供装置とＡＯＤ装置を別のネットワーク連結を通じて構成したが、統合された１つの装置でも実現が可能である。
【００４５】
このような広告提供システムは、広告を行うにおいてすでにユーザに提供されている基本広告コンテンツ上に（基本広告コンテンツ上にポップアップの形式で）広告を提供することによって、ユーザにウェブページの移動なしに多様な広告を提供できるという長所がある。また、ユーザにセカンド広告であるＡＯＤコンテンツを提供することによって、基本広告コンテンツの再販売を通じて広告主に最小の費用で広告の最大化を実現できるという長所がある。
【００４６】
次に、図２および図３を通じて広告提供システムのＡＯＤ装置およびコンテンツ提供装置を詳細に説明する。
【００４７】
図２は、本発明の実施形態に係る広告提供システムのＡＯＤ装置を詳細に示すブロック図である。
【００４８】
図２に示すように、本発明の実施形態に係るＡＯＤ装置３００は、加入者管理部３０１、事前承認部３０２、広告登録情報管理部３０３、検証管理部３０４、課金部３０５、統計部３０６、制御部３０７、通信部３０８および統合データベース（ＤＢ）３１０を含む。
【００４９】
加入者管理部３０１は、広告主に対する認証管理機能を行う。広告主の加入当時の認証情報を統合データベース３１０の加入者情報格納部３１２に格納し、広告主が接続すれば、すでに格納された認証情報に基づいて接続された広告主に対する認証を行う。
【００５０】
事前承認部３０２は、コンテンツ提供装置２００がＡＯＤを適用するか否かに関する事前承認適用情報を管理する機能を行う。具体的に、事前承認部３０２は、ＡＯＤコンテンツが掲載されるコンテンツ提供装置２００にＡＯＤ適用に対する事前承認適用をするかどうかを質疑して格納する。
【００５１】
広告登録情報管理部３０３は、広告コンテンツ（基本広告コンテンツおよびＡＯＤコンテンツ）の登録のための購買プロセス機能を行う。ここで、広告登録情報管理部３０３は、広告主から広告として掲示する基本広告コンテンツに関する基本広告コンテンツ登録情報を受信し、受信された広告登録情報を統合データベース３１０の広告登録情報格納部３１４に格納して管理する。
【００５２】
検証管理部３０４は、広告主から受信される広告コンテンツ（基本広告コンテンツ、ＡＯＤコンテンツ）に対する適合性を判断する機能を行う。具体的に、検証管理部３０４は利用できない単語、文字、イメージに関する検証情報を統合データベース３１０の検証情報格納部３１８に予め格納し、広告主から広告コンテンツが受信されれば、格納された検証情報に基づいてフィルタリングを行う。
【００５３】
課金部３０５は、統計情報に基づいて広告主別課金情報を生成して課金／統計情報格納部３１６に格納し、格納された広告主別課金情報に基づいて広告主に対する課金を行う。このとき、課金部３０５は、収集されたアクション情報（基本広告コンテンツの露出／クリック情報およびＡＯＤコンテンツの露出／クリック情報など）により算出された基本広告コンテンツの露出／クリック回数およびＡＯＤコンテンツの露出／クリック回数に関するそれぞれの回数情報、期間、製品の形態、広告主の形態などに基づいて広告主別に基本広告コンテンツおよびＡＯＤコンテンツに関するそれぞれの課金情報を生成する。
【００５４】
統計部３０６は、統合データベース３１０のユーザアクション情報格納部３２０に格納されたユーザのアクションに関するアクション情報に基づいて広告主別統計情報を生成して課金／統計情報格納部３１６に格納する。具体的に、統計部３０６は、アクション情報に含まれた基本広告コンテンツの露出／クリック情報およびＡＯＤコンテンツの露出／クリック情報に基づいてそれぞれの回数情報を生成し、これに基づいて広告者別に基本広告コンテンツの露出／クリックおよびＡＯＤコンテンツの露出／クリック回数を算出する。このとき、ＡＯＤコンテンツに対してはすでに格納されたＡＯＤコンテンツ登録情報に基づいてエターナルであるかどうかに対する統計を行う。
【００５５】
通信部３０８は、ネットワークを介してコンテンツ提供装置２００とデータの送受信を行う。
【００５６】
統合データベース３１０は、加入者情報格納部３１２、広告登録情報格納部３１４、課金／統計情報格納部３１６、検証情報格納部３１８およびユーザアクション情報格納部３２０を含み、加入者情報、広告登録情報、課金／統計情報、検証情報およびアクション情報を格納する。
【００５７】
制御部３０７は、加入者管理部３０１、事前承認部３０２、広告登録情報管理部３０３、検証管理部３０４、課金部３０５、統計部３０６、通信部３０８および統合データベース（ＤａｔａＢａｓｅ；ＤＢ）３１０を管理し、各部３０１、３０２、３０３、３０４、３０５、３０６、３０７、３０８、３１０間のデータ処理を制御する。
【００５８】
また、制御部３０７は、統合データベース３１０の広告登録情報格納部３１４に格納された広告登録情報（基本広告コンテンツ登録情報およびＡＯＤコンテンツ登録情報）を通信部３０８を介してコンテンツ提供装置２００に提供し、コンテンツ提供装置２００からアクション情報を受信して統合データベース３１０のユーザアクション情報格納部３２０に格納する。
【００５９】
図３は、本発明の実施形態に係る広告提供システムのコンテンツ提供装置を詳細に示すブロック図である。
【００６０】
図３に示すように、本発明の実施形態に係るコンテンツ提供装置２００は、ウェブページ提供部２０１、広告提供部２０２、データ格納部２０３、広告登録情報格納部２０４およびアクション情報収集部２０５を含む。
【００６１】
ウェブページ提供部２０１は、ユーザ端末１００とネットワークを介して連結されてデータの送受信を行い、ユーザ端末１００が接続する場合に、データ格納部２０３にすでに格納されたウェブページを提供し、ユーザ端末１００からユーザアクション（マウスオーバー、クリックなどのアクション）を受信する。ここで、マウスオーバーは、ユーザが対象に対するクリックなしにマウスポインタを対象に移動したアクションをいう。例えば、ユーザがマウスポインタを基本広告コンテンツ上に移動したアクションである。
【００６２】
また、ウェブページ提供部２０１は、ウェブページに複数の基本広告コンテンツを含んでユーザ端末１００に提供し、ユーザ端末１００からＡＯＤコンテンツを活性化するためのユーザのアクション（基本広告コンテンツに対するマウスオーバーなど）を受信する場合に、広告提供部２０２から該当基本広告コンテンツに対応するＡＯＤコンテンツを受信してユーザ端末１００に提供する。
【００６３】
広告提供部２０２はウェブページ提供部２０１と連動し、ウェブページ提供部２０１がウェブページをユーザ端末１００に提供する場合に、広告登録情報格納部２０４に格納された基本広告コンテンツ登録情報に基づいて基本広告コンテンツを提供し、ＡＯＤコンテンツを活性化するためのユーザのアクション（基本広告コンテンツに対するマウスオーバーなど）を受信すれば、広告登録情報に基づいて基本広告コンテンツに対応するＡＯＤコンテンツを提供する。
【００６４】
このとき、広告提供部２０２は、ＡＯＤコンテンツを活性化するためのユーザのアクションを受信する場合に、ＡＯＤコンテンツ登録情報に含まれている事前承認情報に基づいてＡＯＤコンテンツを活性化するか、非活性化する。ここで、活性化はユーザ端末に提供することをいい、非活性化は提供しないことを意味する。
【００６５】
また、広告提供部２０２は、異なるコンテンツ提供装置からＡＯＤコンテンツ提供情報を受信する場合に、ＡＯＤコンテンツを活性化するための基本広告コンテンツに対するユーザアクション（マウスオーバーなど）を受信すれば、ＡＯＤコンテンツ提供情報に基づいて異なるコンテンツ提供装置が提供したＡＯＤコンテンツのうちエターナルが適用されたＡＯＤコンテンツを選別してユーザ端末に提供する。
【００６６】
広告登録情報格納部２０４は、ＡＯＤ装置３００から受信された基本広告コンテンツ登録情報およびＡＯＤコンテンツ登録情報を受信して格納する。
【００６７】
アクション情報収集部２０５は、ユーザアクション情報収集モジュール２０６とユーザアクション情報格納モジュール２０７とを含む。
【００６８】
ユーザアクション情報収集モジュール２０６は、ユーザに提供された広告コンテンツ（基本広告コンテンツおよびＡＯＤコンテンツを含む）に対応して受信されるアクション情報を収集する。このとき、ユーザアクション情報収集モジュール２０６は、ユーザ端末１００が基本広告コンテンツおよびＡＯＤコンテンツにマッチするウェブページに移動する場合に、アクション情報収集を終了し、収集されたアクション情報をＡＯＤ装置３００に伝送する。
【００６９】
また、ユーザアクション情報収集モジュール２０６は、ユーザ端末１００からＡＯＤコンテンツのウェブページに接続したことを知らせるメッセージを受信する場合に、ユーザ端末１００に提供されたＡＯＤコンテンツに関するＡＯＤコンテンツ提供情報を生成して該当ＡＯＤコンテンツのウェブページを提供するコンテンツ提供装置に伝送する。
【００７０】
ユーザアクション情報格納モジュール２０７は、ユーザアクション情報収集モジュール２０６で収集されるアクション情報を一時格納する。
【００７１】
図４および図５は、本発明の実施形態に係る広告提供システムの第１広告提供方法を示すデータフローチャートである。
【００７２】
図４および図５に示すように、本発明の実施形態に係る広告提供方法は、ＡＯＤ装置３００が広告主から位置基盤の基本広告コンテンツに関する基本広告コンテンツ登録情報を受信して行われる。
【００７３】
ＡＯＤ装置３００は、広告主から位置基盤の基本広告コンテンツに関する基本広告コンテンツ登録情報を受信し、受信された基本広告コンテンツ登録情報を格納する（Ｓ１００）。
【００７４】
また、ＡＯＤ装置３００は、広告主から基本広告コンテンツに対応するＡＯＤコンテンツに関するＡＯＤコンテンツ登録情報を受信し、受信されたＡＯＤコンテンツ登録情報を格納する（Ｓ１０２）。
【００７５】
そして、ＡＯＤ装置３００は、第１コンテンツ提供装置２１０が接続すれば（Ｓ１０４）、第１コンテンツ提供装置２１０に対するコンテンツ提供装置認証を行う（Ｓ１０６）。このとき、ＡＯＤ装置３００は、すでに格納されている認証情報に基づいて第１コンテンツ提供装置２１０に対する認証を行う。
【００７６】
そして、ＡＯＤ装置３００は認証が成功すれば、すでに格納されている基本広告コンテンツ登録情報およびＡＯＤコンテンツ広告登録情報を第１コンテンツ提供装置２１０に伝送する（Ｓ１０８）。
【００７７】
第１コンテンツ提供装置２１０は、ＡＯＤ装置３００から基本広告コンテンツ登録情報およびＡＯＤコンテンツ登録情報を受信して格納する（Ｓ１１０）。
【００７８】
第１コンテンツ提供装置２１０は、ユーザ端末１００が接続すれば（Ｓ１１２）、すでに格納されているウェブページおよび基本広告コンテンツを伝送する（Ｓ１１４）。
【００７９】
その後、第１コンテンツ提供装置２１０は、ユーザ端末１００から受信されるユーザアクションに関するアクション情報の収集を開始する（Ｓ１１６）。
【００８０】
ユーザ端末１００は、受信されたウェブページおよび基本広告コンテンツをユーザに提供し（Ｓ１１８）、ユーザからユーザアクション（例えば、マウスポインタの移動など）を受信して第１コンテンツ提供装置２１０に伝送する（Ｓ１２０）。
【００８１】
第１コンテンツ提供装置２１０は、リアルタイムでユーザアクション（例えば、マウスポインタの移動など）を受信し、ウェブページ内の基本広告コンテンツに対するＡＯＤコンテンツを活性化するためのユーザアクション（基本広告コンテンツに対するマウスオーバーなど）を受信する場合に（Ｓ１２２）、事前承認の確認を行う（Ｓ１２３）。
【００８２】
具体的に、第１コンテンツ提供装置２１０は、基本広告コンテンツに対するＡＯＤコンテンツを活性化するためのユーザのアクション（基本広告コンテンツに対するマウスオーバーなど）をユーザ端末１００から受信すれば、第１コンテンツ提供装置２１０が基本広告コンテンツに対するＡＯＤコンテンツを提供するように事前承認されたか否かを判断してＡＯＤコンテンツを提供する。このとき、第１コンテンツ提供装置２１０は、ＡＯＤコンテンツ登録情報に格納されている事前承認情報に基づいて事前承認であるかどうかを判断する。
【００８３】
第１コンテンツ提供装置２１０は、第１広告コンテンツに対応してすでに格納されたＡＯＤコンテンツを検索し（Ｓ１２４）、検索されたＡＯＤコンテンツを基本広告コンテンツ上に表示されるようにユーザ端末１００に伝送する（Ｓ１２６）。
【００８４】
ユーザ端末１００は、第１コンテンツ提供装置２１０から受信されたＡＯＤコンテンツを基本広告コンテンツ上に表示されるようにしてユーザに提供する（Ｓ１２８）。このとき、ユーザ端末１００は、ＡＯＤコンテンツを別のポップアップの形式で提供することもできる。
【００８５】
ユーザ端末１００は、ＡＯＤコンテンツの提供に対応してユーザからＡＯＤコンテンツにマッチするウェブページへの接続要請を受信すれば（ＡＯＤコンテンツをクリックして該当ウェブページに移動する場合）（Ｓ１３０）、該当ＡＯＤコンテンツのウェブページにマッチするコンテンツ提供装置に移動する。これと同時に、ユーザ端末１００はＡＯＤコンテンツにマッチするウェブページへの接続通知メッセージを生成して第１コンテンツ提供装置２１０に伝送する（Ｓ１３２）。
【００８６】
一方、ＡＯＤコンテンツの提供に対応してユーザから受信したＡＯＤコンテンツにマッチするウェブページが、第１コンテンツ提供装置２１０が提供するウェブページである場合に、第１コンテンツ提供装置２１０は他のコンテンツ提供装置に移動するまでアクション情報を累積収集することもできる。
【００８７】
第１コンテンツ提供装置２１０は、ユーザ端末１００から接続通知メッセージを受信し（Ｓ１３４）、ユーザアクションの収集を終了する（Ｓ１３６）。
【００８８】
そして、第１コンテンツ提供装置２１０は、収集されたアクション情報をＡＯＤ装置３００に伝送する（Ｓ１３８）。
【００８９】
ＡＯＤ装置３００は、第１コンテンツ提供装置２１０からアクション情報を受信して格納し（Ｓ１４０）、アクション情報に基づいて統計情報を更新する（Ｓ１４２）。
【００９０】
ＡＯＤ装置３００は、周期的（毎週、毎月或いは毎年）に統計情報に基づいて広告主別課金情報を生成して格納し（Ｓ１４６）、格納された課金情報に基づいて広告主に対する課金を行う。
【００９１】
図６〜８は、本発明の実施形態に係る広告提供システムの第２広告提供方法を示すデータフローチャートである。
【００９２】
図６〜８に示すように、本発明の実施形態に係る第２広告提供方法は、ＡＯＤ装置３００が第１コンテンツ提供装置２１０および第２コンテンツ提供装置２２０に基本広告コンテンツ登録情報およびＡＯＤコンテンツ登録情報を提供して行われる。
【００９３】
ＡＯＤ装置３００は、第１コンテンツ提供装置２１０および第２コンテンツ提供装置２２０が接続すれば、広告主から受信してすでに格納している基本広告コンテンツ登録情報およびＡＯＤコンテンツ登録情報を第１コンテンツ提供装置２１０と第２コンテンツ提供装置２２０に伝送する（Ｓ２００、Ｓ２０４）。
【００９４】
このとき、ＡＯＤ装置３００は、第１コンテンツ提供装置２１０および第２コンテンツ提供装置２２０に複数の基本広告コンテンツ登録情報および複数の基本広告コンテンツ登録情報のそれぞれに対応する複数のＡＯＤコンテンツ登録情報を提供する。
【００９５】
以下、本発明の実施形態では発明を理解しやすくするためにＡＯＤ装置３００が１つの基本広告コンテンツ登録情報とこれに対応する複数のＡＯＤコンテンツ登録情報を提供すると仮定する。
【００９６】
第１コンテンツ提供装置２１０および第２コンテンツ提供装置２２０は、受信された基本広告コンテンツ登録情報および複数のＡＯＤコンテンツ登録情報を格納する（Ｓ２０２、Ｓ２０６）。
【００９７】
第１コンテンツ提供装置２１０はユーザ端末１００が接続すれば（Ｓ２０８）、すでに格納されているウェブページおよび基本広告コンテンツを伝送する（Ｓ２１０）。
【００９８】
その後、第１コンテンツ提供装置２１０は、ユーザ端末１００から受信されるユーザアクションに関するアクション情報の収集を開始する（Ｓ２１２）。
【００９９】
ユーザ端末１００は、受信されたウェブページおよび基本広告コンテンツをユーザに提供し（Ｓ２１４）、ユーザからユーザアクション（例えば、マウスポインタの移動など）を受信して第１コンテンツ提供装置に伝送する（Ｓ２１６）。
【０１００】
第１コンテンツ提供装置２１０は、リアルタイムでユーザアクション（例えば、マウスポインタの移動など）を受信し、ウェブページ内の基本広告コンテンツに対するＡＯＤコンテンツを活性化するためのユーザのアクション（基本広告コンテンツに対するマウスオーバーなど）を受信する場合に（Ｓ２１８）、事前承認の確認を行う（Ｓ２２０）。そして、事前承認された場合に、第１コンテンツ提供装置２１０は基本広告コンテンツに対応してすでに格納されたＡＯＤコンテンツを検索し（Ｓ２２２）、検索されたＡＯＤコンテンツをユーザ端末１００に伝送する（Ｓ２２４）。このとき、第１コンテンツ提供装置２１０は、検索されたＡＯＤコンテンツを基本広告コンテンツと同一のウェブページ上に表示されるようにしてユーザ端末１００に提供する。例えば、ＡＯＤコンテンツを別のポップアップの形式で提供する。
【０１０１】
ユーザ端末１００は、第１コンテンツ提供装置２１０から受信された複数のＡＯＤコンテンツを基本広告コンテンツ上に表示されるようにしてユーザに提供する（Ｓ２２６）。
【０１０２】
ユーザ端末１００は、複数のＡＯＤコンテンツの提供に対応してユーザから選択された１つのＡＯＤコンテンツにマッチする第２コンテンツ提供装置２２０のウェブページへの接続要請を受信し（Ｓ２２８）、第２コンテンツ提供装置２２０のウェブページに接続する（Ｓ２３０）。これと同時に、ユーザ端末１００は第２コンテンツ提供装置２２０への接続通知メッセージを生成して第１コンテンツ提供装置２１０に伝送する（Ｓ２３２）。
【０１０３】
第１コンテンツ提供装置２１０は、ユーザ端末１００から接続通知メッセージを受信し（Ｓ２３４）、ユーザのアクションに関するアクション情報の収集を終了する（Ｓ２３６）。そして、ユーザ端末１００に提供したＡＯＤコンテンツに関する情報を生成して第２コンテンツ提供装置に提供する（Ｓ２３７）。
【０１０４】
第１コンテンツ提供装置２１０は、収集されたアクション情報をＡＯＤ装置３００に伝送する（Ｓ２４０）。
【０１０５】
ＡＯＤ装置３００は、第１コンテンツ提供装置２１０から受信されたアクション情報を格納する（Ｓ２４１）。
【０１０６】
第２コンテンツ提供装置２２０は、ＡＯＤコンテンツを介して接続したユーザ端末２１０にすでに格納されたウェブページおよび基本広告コンテンツを提供する（Ｓ２３８）。その後、第２コンテンツ提供装置２２０は、ユーザ端末１００から受信されるユーザアクションに関するアクション情報の収集を開始する（Ｓ２４４）。
【０１０７】
ユーザ端末１００は、受信されたウェブページおよび基本広告コンテンツをユーザに提供し（Ｓ２４２）、ユーザから受信されるユーザアクション（例えば、マウスポインタの移動）を受信して第２コンテンツ提供装置２２０に伝送する（Ｓ２４６）。
【０１０８】
第２コンテンツ提供装置２２０は、リアルタイムでユーザアクションを受信し、ウェブページ内の基本広告コンテンツに対するＡＯＤコンテンツを活性化するためのユーザのアクション（基本広告コンテンツに対するマウスオーバーなど）を受信する場合に（Ｓ２４８）、事前承認の確認を行う（Ｓ２５０）。そして、第２コンテンツ提供装置２２０は事前承認が完了すれば、第１コンテンツ提供装置２１０から受信されたＡＯＤコンテンツ情報に基づいて第１コンテンツ提供装置２１０が提供していたＡＯＤコンテンツのうちエターナル（Ｅｔｅｒｎａｌ）が適用されたＡＯＤコンテンツを検索する（Ｓ２５２）。
【０１０９】
そして、第２コンテンツ提供装置２２０は、検索されたＡＯＤコンテンツをユーザ端末１００に提供する（Ｓ２５４）。このとき、第２コンテンツ提供装置２００は、複数のＡＯＤコンテンツを基本広告コンテンツ上に表示されるようにユーザ端末１００に提供する。即ち、第２コンテンツ提供装置２００は、複数のＡＯＤコンテンツを基本広告コンテンツと同一のウェブページ上に表示されるようにしてユーザ端末１００に提供する。例えば、ＡＯＤコンテンツを別のポップアップの形式で提供する。
【０１１０】
ユーザ端末１００は、第２コンテンツ提供装置２２０からＡＯＤコンテンツを受信し、受信された複数のＡＯＤコンテンツを基本広告コンテンツ上に表示されるようにしてユーザに提供する（Ｓ２５６）。
【０１１１】
ユーザ端末１００は、複数のＡＯＤコンテンツの提供に対応してユーザから選択された１つのＡＯＤコンテンツにマッチする第３コンテンツ提供装置（図示せず）のウェブページへの接続要請を受信し（Ｓ２５８）、第３コンテンツ提供装置（図示せず）のウェブページに接続する（Ｓ２６０）。これと同時に、ユーザ端末１００は第３コンテンツ提供装置（図示せず）への接続通知メッセージを生成して第２コンテンツ提供装置２２０に伝送する（Ｓ２６２）。
【０１１２】
第２コンテンツ提供装置２２０は、ユーザ端末１００から接続通知メッセージを受信し、ユーザのアクションに関するアクション情報の収集を終了する（Ｓ２６４）。そして、ユーザ端末１００に提供したＡＯＤコンテンツ情報を生成して第３コンテンツ提供装置（図示せず）に提供する。
【０１１３】
第２コンテンツ提供装置２２０は、周期的に収集されたアクション情報をＡＯＤ装置３００に伝送する（Ｓ２６６）。
【０１１４】
ＡＯＤ装置３００は、第２コンテンツ提供装置２２０から受信されたアクション情報を格納する（Ｓ２６８）。
【０１１５】
ＡＯＤ装置３００は、第１コンテンツ提供装置２１０および第２コンテンツ提供装置２２０から受信されたアクション情報に基づいてユーザの広告利用に関する統計情報を更新する（Ｓ２７０）。そして、ＡＯＤ装置３００は、周期的に格納されている統計情報に基づいて広告主別課金情報を生成して広告主に対する課金を行う（Ｓ２７２）。
【０１１６】
ここで、第１コンテンツ提供装置２１０および第２コンテンツ提供装置２２０は、１つの統合装置内にそれぞれ互いに異なるウェブページを提供する装置であってもよく、互いに異なる独立した装置であってもよい。
【０１１７】
一方、図６〜８に係る本発明の実施形態では基本広告コンテンツを用いて持続的な（Ｅｔｅｒｎａｌ）ＡＯＤコンテンツを提供するが、この際の基本広告コンテンツを用いた広告提供方法と同一の方法で、広告コンテンツではなく、デジタルコンテンツに対して持続的な（Ｅｔｅｒｎａｌ）広告を提供することもできる。このとき、デジタルコンテンツは、ウェブページ上に提供されるキーワード（文字）、イメージ、動画を含むコンテンツを意味する。
【０１１８】
ここで、デジタルコンテンツに対するユーザアクションを用いて広告を提供する場合に、第１コンテンツ提供装置２１０および第２コンテンツ提供装置２２０は、それぞれＡＯＤコンテンツに関するユーザのアクション情報のみを収集し、ＡＯＤ装置もＡＯＤコンテンツの広告提供者に対する課金のみを行うようになる。
【０１１９】
図９は、本発明の実施形態に係る広告提供システムのＡＯＤ装置における事前承認情報の登録方法を示すフローチャートである。
【０１２０】
図９に示すように、本発明の実施形態に係る事前承認情報の登録方法は、コンテンツ提供装置２００がＡＯＤ装置３００に接続して行われる。
【０１２１】
ＡＯＤ装置３００の事前承認部３０２は、コンテンツ提供装置２００が接続すれば、基本広告コンテンツのウェブページ掲載するかどうかに対する事前承認であるか否かおよびコンテンツ提供装置２００ウェブページ全体における基本広告コンテンツ全体許容するかどうかに対する確認の要請を行う。
【０１２２】
ＡＯＤ装置３００は、コンテンツ提供装置２００から事前承認であるか否かおよび全体許容であるかどうか確認要請に対する応答を受信し（Ｓ３００）、応答が事前承認許容である否かを判断する（Ｓ３０１）。
【０１２３】
前記Ｓ３００段階の判断結果、コンテンツ提供装置２００が事前承認を許容しない場合に、ＡＯＤ装置３００はコンテンツ提供装置２００が基本広告コンテンツに対する広告掲載を許容しないと判断して事前承認情報を格納する（Ｓ３０２、Ｓ３１０）。
【０１２４】
前記Ｓ３００段階の判断結果、コンテンツ提供装置２００が事前承認を許容した場合に、ＡＯＤ装置３００は全体許容である否かを判断する（Ｓ３０４）。
【０１２５】
前記Ｓ３０４段階の判断結果、全体許容である場合に、ＡＯＤ装置３００はコンテンツ提供装置２００のウェブページ全体で基本広告コンテンツ掲載を許容したと判断して事前承認情報を格納する（Ｓ３０８、Ｓ３１０）。
【０１２６】
前記Ｓ３０４段階の判断結果、全体許容でない場合に、ＡＯＤ装置３００はコンテンツ提供装置２００の一部ページで許容したと判断し、応答に含まれた許容されたウェブページの情報を事前承認情報に入れて格納する（Ｓ３０６、Ｓ３１０）。
【０１２７】
このような本発明の実施形態に係る広告提供システムは、ＡＯＤ装置がコンテンツ提供装置から基本広告コンテンツに対するＡＯＤコンテンツを提供するための事前承認情報を予め確認して格納することで、著作権や広告掲載上に伴い問題を事前に解決できるという長所がある。
【０１２８】
図１０は、本発明の実施形態に係る広告提供システムのＡＯＤ装置における広告のためのコンテンツ登録方法を詳細に示すフローチャートである。
【０１２９】
図１０に示すように、本発明の実施形態に係るＡＯＤ装置３００は、広告主が広告主の端末を介して接続すれば、広告主に対する認証を行う（Ｓ３００）。具体的に、ＡＯＤ装置３００は広告主が加入時に登録した広告主認証情報をすでに格納しており、広告主から認証のための広告主情報を受信すれば、格納している認証情報との比較を通じて広告主に対する認証を行う。
【０１３０】
ＡＯＤ装置３００は、広告主に対する認証を行った後に（Ｓ４００）、コンテンツ購買プロセス動作を行う（Ｓ４０２）。ここで、コンテンツ購買プロセスは、広告主が基本広告コンテンツまたはＡＯＤコンテンツを購買するためのプロセスをいう。
【０１３１】
ＡＯＤ装置３００は、基本広告コンテンツに対する登録であるか、ＡＯＤコンテンツに対する登録であるかを質疑し、それにより、広告主から基本広告コンテンツ登録であるか否かに関する選択情報を受信して基本広告コンテンツ登録であるか否かを判断する（Ｓ４０４）。
【０１３２】
前記Ｓ４０４段階で広告主から受信された選択情報が基本広告コンテンツ登録である場合に、広告主から基本広告コンテンツ登録情報を受信して格納する（Ｓ４１８）。
【０１３３】
前記Ｓ３０４段階で広告主から受信された選択情報が基本広告コンテンツではなく、ＡＯＤコンテンツである場合に、ＡＯＤ装置３００はＡＯＤコンテンツが活性化される基本広告コンテンツに関する情報をユーザに提供し、これに対してＡＯＤコンテンツが活性化される基本広告コンテンツの選択を広告主から受信する（Ｓ４０６）。
【０１３４】
その後、ＡＯＤ装置３００は、広告主から基本広告コンテンツに対応するＡＯＤコンテンツ登録情報をユーザから受信する（Ｓ４０８）。また、ＡＯＤ装置３００は、ＡＯＤコンテンツのエターナル適用であるかどうかを広告主から受信する（Ｓ４１０）。
【０１３５】
その後、ＡＯＤ装置３００は、すでに格納されている事前承認情報に基づいて基本広告コンテンツが掲載される広告提供サイトのコンテンツ提供装置２００がＡＯＤコンテンツを提供するように事前承認をしたか否かを反映する（Ｓ４１２）。
【０１３６】
ＡＯＤ装置３００は、事前承認の反映をしているかどうかと、エターナル適用であるかどうかの結果を含んでＡＯＤコンテンツ登録情報を格納する（Ｓ４１４）。
【０１３７】
図１１は、本発明の実施形態に係る第１コンテンツ提供装置における事前承認段階を示すフローチャートである。
【０１３８】
図１１に示すように、本発明の第１コンテンツ提供装置２１０は、基本広告コンテンツに対応するＡＯＤコンテンツ登録情報を検索し（Ｓ５００）、検索されたＡＯＤコンテンツ登録情報に含まれた事前承認であるかどうかの情報を確認する（Ｓ５０２）。そして、事前承認であるかどうかの情報に基づいてＡＯＤコンテンツの公開に対して第１コンテンツ提供装置２１０が事前承認をしたか否かを判断する（Ｓ５０４）。
【０１３９】
前記Ｓ５０４の判断結果、第１コンテンツ提供装置２１０が事前承認をした場合に、第１コンテンツ提供装置２１０は基本広告コンテンツにマッチするＡＯＤコンテンツをユーザ端末１００に提供する（Ｓ５０６）。
【０１４０】
前記Ｓ５０４の判断結果、第１コンテンツ提供装置２１０は、事前承認されていない場合に、検索されたＡＯＤコンテンツを提供しない（Ｓ５０８）。
【０１４１】
図１２は、本発明の実施形態に係る広告提供システムのＡＯＤ装置における課金方法を示すフローチャートである。
【０１４２】
図１２に示すように、本発明の実施形態に係る課金方法は、ＡＯＤ装置３００が各コンテンツ提供装置２１０、２２０からアクション情報を収集して行われる。
【０１４３】
ここで、課金方法は周期的（毎週、毎月または毎年）に行われ、広告主の要請によって実行されることもできる。
【０１４４】
まず、ＡＯＤ装置３００は、各コンテンツ提供装置２１０、２２０からアクション情報を収集し（Ｓ６００）、これに基づいて広告者別統計情報を生成する。
【０１４５】
ＡＯＤ装置３００は、すでに格納されている統計情報に基づいて基本広告コンテンツおよびＡＯＤコンテンツ別に統計資料を分類する（Ｓ６０２）。
【０１４６】
ＡＯＤ装置３００は分類された統計資料が基本広告コンテンツであるか否かを判断し（Ｓ６０４）、前記Ｓ６０４の判断結果、基本広告コンテンツでない場合に（ＡＯＤコンテンツである場合に）、ＡＯＤ装置３００は広告主別に再び分類を行う（Ｓ６０６）。
【０１４７】
そして、ＡＯＤ装置３００は、分類された広告主別ＡＯＤコンテンツのエターナル適用であるかどうかを確認（ＡＯＤコンテンツのうちエターナルが適用されたＡＯＤコンテンツ数を確認）し（Ｓ６０８）、エターナル適用であるかどうかとＡＯＤコンテンツの露出／クリック回数に基づいて広告主別ＡＯＤコンテンツに対する課金を行う（Ｓ６１０）。具体的に、ＡＯＤ装置３００は、エターナル適用であるかどうか、ＡＯＤコンテンツの露出／クリック回数、期間、製品の形態（ＡＯＤコンテンツ）などに基づいてＡＯＤコンテンツに対する広告主別課金情報を生成して課金を行う。
【０１４８】
前記Ｓ６０４の判断結果、基本広告コンテンツである場合に、ＡＯＤ装置３００は基本広告コンテンツを広告主別に再分類した後に（Ｓ６１２）、各広告主別に基本広告コンテンツに対する課金を行う（Ｓ６１４）。具体的に、ＡＯＤ装置３００は、基本広告コンテンツの露出／クリック回数、期間、製品の形態（基本広告コンテンツ）などに基づいて基本広告コンテンツに対する広告主別課金情報を生成して課金を行う。
【０１４９】
このような本発明の実施形態に係る広告提供システムは広告として提供された基本広告コンテンツおよびＡＯＤコンテンツに対して、それぞれ互いに異なる課金を行うことで、基本広告コンテンツおよびＡＯＤコンテンツの広告主別に効率的な差等課金を行うことができるという長所がある。特に、基本広告コンテンツ基盤の複数のＡＯＤコンテンツを提供できるため、位置基盤の基本広告コンテンツを提供した従来の広告提供装置よりも多様な広告をユーザに提供でき、それによる広告効果を非常に高めることができるという長所がある。
【０１５０】
図１３は、本発明の実施形態に係る広告提供システムがＡＯＤ装置に格納されたＡＯＤコンテンツ登録情報を示すテーブルである。
【０１５１】
図１３に示すように、本発明の実施形態に係るＡＯＤコンテンツ登録情報は、製品のカテゴリー（Ｃａｔｅｇｏｒｙ）、メーカー、製品名、サイト名（Ｓｉｔｅ  Ｎａｍｅ）、広告適用、適用位置イメージ確認、製品の形態、前月統計資料、広告主が承認の有無、期間を含む。
【０１５２】
製品カテゴリーは製品のカテゴリー（所属グループ）を示し、メーカーはＡＯＤコンテンツを所有している広告主を示し、製品名はＡＯＤコンテンツが適用される製品名（検索キーワードとして利用されることもできる）を示し、サイト名はＡＯＤコンテンツが適用されるサイト名を示し、広告適用はＡＯＤコンテンツが適用される基本広告コンテンツの位置を示し、適用位置確認は該当ＡＯＤコンテンツが適用される基本広告コンテンツの位置に対するリンクアドレスを示し、製品の形態はＡＯＤコンテンツの製品形態であって、ＬＵ（Ｌｉｎｋｅｄ  ＵＲＬ）、ＦＬ（ＦＬａｓｈ）、ＭＰ（Ｍｅｄｉａ  Ｐｌａｙ）およびＬＩ（Ｌｉｎｋｅｄ  Ｉｍａｇｅ）を示す。
【０１５３】
また、前月統計資料はＡＯＤコンテンツを活性化するための基本広告コンテンツのマウスオーバー回数およびＡＯＤコンテンツのクリック数（ＡＯＤコンテンツの露出／クリック回数）を示す。このとき、基本広告コンテンツに対するマウスオーバー回数およびクリック数はＡＯＤ装置３００が各コンテンツ提供装置２１０、２２０から受信したアクション情報に基づいて抽出された値である。
【０１５４】
広告主の承認の有無は、基本広告コンテンツが掲載されるコンテンツ提供装置２００の事前承認情報を示す。「承認」は該当コンテンツ提供装置２１０、２２０が基本広告コンテンツにマッチするＡＯＤコンテンツを提供するように承認した場合であり、「承認待機」はコンテンツ提供装置２１０、２２０から事前承認の応答を待つ待機状態である。
【０１５５】
期間は基本広告コンテンツの掲載期間中にＡＯＤコンテンツを提供するために広告主が設定した期間を示す。
【０１５６】
ここで、ＡＯＤコンテンツ登録情報は、ウェブページの移動によって継続的に同一の（Ｅｔｅｒｎａｌ）広告［同一の広告（例えば、エターナル広告]を提供するか否かについてエターナルであるかどうかの情報をさらに含むこともできる。
【０１５７】
図１４は、本発明の実施形態に係るＡＯＤコンテンツ登録情報のうち適用位置イメージ確認を示す図である。
【０１５８】
図１４に示すように、本発明の実施形態に係るＡＯＤ装置３００は、ＡＯＤコンテンツの広告主にＡＯＤコンテンツ登録情報の格納後に掲示されるＡＯＤコンテンツの位置を確認できるようにリンクアドレスを提供する。
【０１５９】
以上で説明した本発明の実施形態は装置および方法を通じてのみ実現するものではなく、本発明の実施形態の構成に対応する機能を実現するプログラムまたはそのプログラムが記録された記録媒体を通じて実現することもでき、このような実現は前述した実施形態の記載から本発明の属する技術分野における専門家であれば、容易に実現できる。
【０１６０】
以上で本発明の実施形態について詳細に説明したが、本発明の権利範囲はこれに限定されるものではなく、次の請求範囲で定義している本発明の基本概念を用いた当業者の多様な変形および改良形態も本発明の権利範囲に属する。
【図１】
2010538387.tif 000003
【図２】
2010538387.tif 000004
【図３】
2010538387.tif 000005
【図４】
2010538387.tif 000006
【図５】
2010538387.tif 000007
【図６】
2010538387.tif 000008
【図７】
2010538387.tif 000009
【図８】
2010538387.tif 000010
【図９】
2010538387.tif 000011
【図１０】
2010538387.tif 000012
【図１１】
2010538387.tif 000013
【図１２】
2010538387.tif 000014
【図１３】
2010538387.tif 000015
【図１４】
2010538387.tif 000016
【国際調査報告】
2010538387.tif 000017
2010538387.tif 000018